【手続補正書】
【提出日】令和1年8月30日(2019.8.30)
【手続補正１】
【補正対象書類名】特許請求の範囲
【補正対象項目名】全文
【補正方法】変更
【補正の内容】
【特許請求の範囲】
【請求項１】
ワイヤレス通信の方法であって、
チャネル状態情報（ＣＳＩ）プロセスに関連する複数のチャネル状態情報基準信号（ＣＳＩ−ＲＳ）リソースの識別情報を取得することと、
前のビーム選択インジケータが、最後のビーム選択インジケータ報告機会において、サービング基地局に報告されたかどうかを決定することと、
前記前のビーム選択インジケータが報告されたと決定したことに応答して、
前記前のビーム選択インジケータによって示された前記複数のＣＳＩ−ＲＳリソースのうちの１つのＣＳＩ−ＲＳリソースを決定すること、および
前記決定されたＣＳＩ−ＲＳリソースに関連するアンテナポートの数に基づいてチャネル状態情報（ＣＳＩ）報告タイプを選択することと、
前記選択されたＣＳＩ報告タイプに従って前記サービング基地局にＣＳＩを報告することと
を備える、方法。
【請求項２】
前記前のビーム選択インジケータが前記サービング基地局に報告されなかったと決定したことに応答して、
あらかじめ定義されたルールに基づいて前記複数のＣＳＩ−ＲＳリソースのうちの１つのデフォルトＣＳＩ−ＲＳリソースを選択することと、
選択されたデフォルトＣＳＩ−ＲＳリソースに従って前記ＣＳＩ報告タイプを選択することと
をさらに含む、請求項１に記載の方法。
【請求項３】
前記あらかじめ定義されたルールが、
ＣＳＩプロセス中の最低リソースインデックスを有する前記複数のＣＳＩ−ＲＳリソースのうちの１つを決定すること、または
最大アンテナポートを有する前記複数のＣＳＩ−ＲＳリソースのうちの１つを決定すること
のうちの１つを含む、請求項２に記載の方法。
【請求項４】
ランクインジケータが前記前のビーム選択インジケータの報告の後に報告されたかどうかを決定すること、
ランクインジケータの不在を決定したことに応答して、
デフォルト基準ランクを識別すること、および
前記識別されたデフォルト基準ランクを条件として前記ＣＳＩ−ＲＳリソースの前記ＣＳＩを測定すること
をさらに含む、請求項１に記載の方法。
【請求項５】
前記デフォルト基準ランクを前記識別することは、
最後の報告されたビーム選択インジケータによって識別された前記ＣＳＩ−ＲＳリソースに関連するアンテナポートの数を決定すること、
アンテナポートの前記数に関連する可能な最低ランクインジケータを識別すること、ここにおいて、前記デフォルト基準ランクが前記可能な最低ランクインジケータである、を含む、請求項４に記載の方法。
【請求項６】
請求項１から５の任意の組合せの方法。
【請求項７】
ワイヤレス通信の方法であって、
チャネル状態情報（ＣＳＩ）プロセスに関連する複数のチャネル状態情報基準信号（ＣＳＩ−ＲＳ）リソースの識別情報を取得することと、
サービング基地局に報告するための合同報告になるようにビーム選択インジケータとランクインジケータとを結合すべきかどうかを決定することと、ここにおいて、前記ビーム選択インジケータが前記複数のＣＳＩ−ＲＳリソースのうちの１つのＣＳＩ−ＲＳリソースを識別する、
前記合同報告のためのビット幅を設定することと、ここにおいて、前記ビット幅が固定される、
前記合同報告を符号化することと、
前記サービング基地局に前記符号化された合同報告を送信することと
を備える、方法。
【請求項８】
前記ビット幅を前記設定することは、
ランクインジケータビット幅＝ｌｏｇ2（ｍｉｎ（ｍａｘ（Ｎk），Ｎlayer））、ここで、Ｎlayerが、前記サービング基地局によってサービスされるユーザ機器（ＵＥ）によってサポートされるレイヤの最大数であり、Ｎkが、前記複数のＣＳＩ−ＲＳリソースのうちのｋ番目のＣＳＩ−ＲＳリソースに関連するアンテナポートの数である、
に従ってランクインジケータビット幅を決定することと、
ビーム選択インジケータビット幅＝ｃｅｉｌ（ｌｏｇ2（Ｋ））、
ここで、Ｋが前記複数のＣＳＩ−ＲＳリソースの数である、
に従ってビーム選択インジケータビット幅を決定することと、
前記合同報告になるように前記ビーム選択インジケータビット幅の前記ビーム選択インジケータを前記ランクビット幅の前記ランクインジケータと連結することと
を含む、請求項７に記載の方法。
【請求項９】
前記符号化された合同報告を前記送信することが、アップリンク共有データチャネル上で、前記符号化された合同報告を送信することを含み、前記方法は、
複数のＣＳＩプロセスおよび複数のダウンリンクセルのためのＣＳＩ報告のための非周期ＣＳＩトリガリングを受信すること、
前記複数のＣＳＩプロセスおよび前記複数のダウンリンクセルにわたって前記ランクインジケータの前記符号化された合同報告を連結すること、
前記アグリゲートされた符号化された合同報告の前記ランクインジケータのための総ペイロードサイズを決定すること、
前記総ペイロードサイズがしきい値よりも小さいかまたはそれに等しいときにブロックコード、あるいは
前記総ペイロードサイズが前記しきい値を超えるときに畳み込みコード
のうちの１つを使用して前記ランクインジケータのためにチャネルコーディングすることをさらに含む、請求項７に記載の方法。
【請求項１０】
前記チャネルコーディングすることは、
前記総ペイロードサイズが前記しきい値よりも小さいかまたはそれに等しいときに第１のコーディングオフセットパラメータ、あるいは
前記総ペイロードサイズが前記しきい値を超えるときに第２のコーディングオフセットパラメータ
のうちの１つを使用して、前記アグリゲートされた符号化された合同報告の前記ランクインジケータをチャネルコーディングすること
をさらに含む、請求項９に記載の方法。
【請求項１１】
請求項７から１０の任意の組合せの方法。
【請求項１２】
ワイヤレス通信のために構成された装置であって、
チャネル状態情報（ＣＳＩ）プロセスに関連する複数のチャネル状態情報基準信号（ＣＳＩ−ＲＳ）リソースの識別情報を取得するための手段と、
最後のビーム選択インジケータ報告機会において、前のビーム選択インジケータがサービング基地局に報告されたかどうかを決定するための手段と、
前記前のビーム選択インジケータが報告されたと決定したことに応答して実行可能な、    前記前のビーム選択インジケータによって示された前記複数のＣＳＩ−ＲＳリソースのうちのＣＳＩ−ＲＳリソースを決定すること、および
前記決定されたＣＳＩ−ＲＳリソースに関連するアンテナポートの数に基づいてチャネル状態情報（ＣＳＩ）報告タイプを選択すること
を行うための手段と、
前記選択されたＣＳＩ報告タイプに従って前記サービング基地局にＣＳＩを報告するための手段と
を備える、装置。
【請求項１３】
前記前のビーム選択インジケータが前記サービング基地局に報告されなかったと決定したことに応答して実行可能な、
あらかじめ定義されたルールに基づいて前記複数のＣＳＩ−ＲＳリソースのうちのデフォルトＣＳＩ−ＲＳリソースを選択することと、
選択されたデフォルトＣＳＩ−ＲＳリソースに従って前記ＣＳＩ報告タイプを選択することと
を行うための手段をさらに含む、請求項１２に記載の装置。
【請求項１４】
ワイヤレス通信のために構成された装置であって、
チャネル状態情報（ＣＳＩ）プロセスに関連する複数のチャネル状態情報基準信号（ＣＳＩ−ＲＳ）リソースの識別情報を取得するための手段と、
サービング基地局に報告するための合同報告になるようにビーム選択インジケータとランクインジケータとを結合すべきかどうかを決定するための手段と、ここにおいて、前記ビーム選択インジケータが前記複数のＣＳＩ−ＲＳリソースのうちの１つのＣＳＩ−ＲＳリソースを識別する、
前記合同報告のためのビット幅を設定するための手段と、ここにおいて、前記ビット幅が固定される、
前記合同報告を符号化するための手段と、
前記サービング基地局に前記符号化された合同報告を送信するための手段と
を備える、装置。
【請求項１５】
前記ビット幅を設定するための前記手段は、
ランクインジケータビット幅＝ｌｏｇ2（ｍｉｎ（ｍａｘ（Ｎk），Ｎlayer））、ここで、Ｎlayerが、前記サービング基地局によってサービスされるユーザ機器（ＵＥ）によってサポートされるレイヤの最大数であり、Ｎkが、前記複数のＣＳＩ−ＲＳリソースのうちのｋ番目のＣＳＩ−ＲＳリソースに関連するアンテナポートの数である、
に従ってランクインジケータビット幅を決定するための手段と、
ビーム選択インジケータビット幅＝ｃｅｉｌ（ｌｏｇ2（Ｋ））、
ここで、Ｋが前記複数のＣＳＩ−ＲＳリソースの数である、
に従ってビーム選択インジケータビット幅を決定するための手段と、
前記合同報告になるように前記ビーム選択インジケータビット幅の前記ビーム選択インジケータを前記ランクビット幅の前記ランクインジケータと連結するための手段と
を含む、請求項１４に記載の装置。
【手続補正２】
【補正対象書類名】明細書
【補正対象項目名】０１２３
【補正方法】変更
【補正の内容】
【０１２３】
[00122]  本開示についての以上の説明は、いかなる当業者も本開示を作成または使用することができるように与えられる。本開示への様々な変更は当業者には容易に明らかになり、本明細書で定義された一般原理は、本開示の趣旨または範囲から逸脱することなく他の変形形態に適用され得る。したがって、本開示は、本明細書で説明された例および設計に限定されるものではなく、本明細書で開示された原理および新規の特徴に合致する最も広い範囲を与えられるべきである。
以下に、本願の出願当初の特許請求の範囲に記載された発明を付記する。
［Ｃ１］
ワイヤレス通信の方法であって、
チャネル状態情報（ＣＳＩ）プロセスに関連する複数のチャネル状態情報基準信号（ＣＳＩ−ＲＳ）リソースの識別情報を取得することと、
前のビーム選択インジケータが、最後のビーム選択インジケータ報告機会において、サービング基地局に報告されたかどうかを決定することと、
前記前のビーム選択インジケータが報告されたと決定したことに応答して、
前記前のビーム選択インジケータによって示された前記複数のＣＳＩ−ＲＳリソースのうちの１つのＣＳＩ−ＲＳリソースを決定すること、および
前記決定されたＣＳＩ−ＲＳリソースに関連するアンテナポートの数に基づいてチャネル状態情報（ＣＳＩ）報告タイプを選択することと、
前記選択されたＣＳＩ報告タイプに従って前記サービング基地局にＣＳＩを報告することと
を備える、方法。
［Ｃ２］
前記前のビーム選択インジケータが前記サービング基地局に報告されなかったと決定したことに応答して、
あらかじめ定義されたルールに基づいて前記複数のＣＳＩ−ＲＳリソースのうちの1つのデフォルトＣＳＩ−ＲＳリソースを選択することと、
選択されたデフォルトＣＳＩ−ＲＳリソースに従って前記ＣＳＩ報告タイプを選択することと
をさらに含む、Ｃ１に記載の方法。
［Ｃ３］
前記あらかじめ定義されたルールが、
ＣＳＩプロセス中の最低リソースインデックスを有する前記複数のＣＳＩ−ＲＳリソースのうちの１つを決定すること、または
最大アンテナポートを有する前記複数のＣＳＩ−ＲＳリソースのうちの１つを決定すること
のうちの１つを含む、Ｃ２に記載の方法。
［Ｃ４］
ランクインジケータが前記前のビーム選択インジケータの報告の後に報告されたかどうかを決定すること、
ランクインジケータの不在を決定したことに応答して、
デフォルト基準ランクを識別すること、および
前記識別されたデフォルト基準ランクを条件として前記ＣＳＩ−ＲＳリソースの前記ＣＳＩを測定すること
をさらに含む、Ｃ１に記載の方法。
［Ｃ５］
前記デフォルト基準ランクを前記識別することは、
最後の報告されたビーム選択インジケータによって識別された前記ＣＳＩ−ＲＳリソースに関連するアンテナポートの数を決定すること、
アンテナポートの前記数に関連する可能な最低ランクインジケータを識別すること、ここにおいて、前記デフォルト基準ランクが前記可能な最低ランクインジケータである、を含む、Ｃ４に記載の方法。
［Ｃ６］
Ｃ１から５の任意の組合せの方法。
［Ｃ７］
ワイヤレス通信の方法であって、
チャネル状態情報（ＣＳＩ）プロセスに関連する複数のチャネル状態情報基準信号（ＣＳＩ−ＲＳ）リソースの識別情報を取得することと、
サービング基地局に報告するための合同報告になるようにビーム選択インジケータとランクインジケータとを結合すべきかどうかを決定することと、ここにおいて、前記ビーム選択インジケータが前記複数のＣＳＩ−ＲＳリソースのうちの１つのＣＳＩ−ＲＳリソースを識別する、
前記合同報告のためのビット幅を設定することと、ここにおいて、前記ビット幅が固定される、
前記合同報告を符号化することと、
前記サービング基地局に前記符号化された合同報告を送信することと
を備える、方法。
［Ｃ８］
前記ビット幅を前記設定することは、
ランクインジケータビット幅＝ｌｏｇ2（ｍｉｎ（ｍａｘ（Ｎk），Ｎlayer））、ここで、Ｎlayerが、前記サービング基地局によってサービスされるユーザ機器（ＵＥ）によってサポートされるレイヤの最大数であり、Ｎkが、前記複数のＣＳＩ−ＲＳリソースのうちのｋ番目のＣＳＩ−ＲＳリソースに関連するアンテナポートの数である、
に従ってランクインジケータビット幅を決定することと、
ビーム選択インジケータビット幅＝ｃｅｉｌ（ｌｏｇ2（Ｋ））、
ここで、Ｋが前記複数のＣＳＩ−ＲＳリソースの数である、
に従ってビーム選択インジケータビット幅を決定することと、
前記合同報告になるように前記ビーム選択インジケータビット幅の前記ビーム選択インジケータを前記ランクビット幅の前記ランクインジケータと連結することと
を含む、Ｃ７に記載の方法。
［Ｃ９］
前記符号化された合同報告を前記送信することが、アップリンク共有データチャネル上で、前記符号化された合同報告を送信することを含み、前記方法は、
複数のＣＳＩプロセスおよび複数のダウンリンクセルのためのＣＳＩ報告のための非周期ＣＳＩトリガリングを受信すること、
前記複数のＣＳＩプロセスおよび前記複数のダウンリンクセルにわたって前記ランクインジケータの前記符号化された合同報告を連結すること、
前記アグリゲートされた符号化された合同報告の前記ランクインジケータのための総ペイロードサイズを決定すること、
前記総ペイロードサイズがしきい値よりも小さいかまたはそれに等しいときにブロックコード、あるいは
前記総ペイロードサイズが前記しきい値を超えるときに畳み込みコード
のうちの１つを使用して前記ランクインジケータのためにチャネルコーディングすることをさらに含む、Ｃ７に記載の方法。
［Ｃ１０］
前記チャネルコーディングすることは、
前記総ペイロードサイズが前記しきい値よりも小さいかまたはそれに等しいときに第１のコーディングオフセットパラメータ、あるいは
前記総ペイロードサイズが前記しきい値を超えるときに第２のコーディングオフセットパラメータ
のうちの１つを使用して、前記アグリゲートされた符号化された合同報告の前記ランクインジケータをチャネルコーディングすること
をさらに含む、Ｃ９に記載の方法。
［Ｃ１１］
Ｃ７から１０の任意の組合せの方法。
［Ｃ１２］
ワイヤレス通信の方法であって、
１つまたは複数のコンポーネントキャリア（ＣＣ）のためのチャネル状態情報（ＣＳＩ）報告のための複数のＣＳＩ要求を受信することと、
前記複数のＣＳＩ要求のうちの１つまたは複数の無報告ＣＳＩ要求を識別することと、ここにおいて、前記１つまたは複数の無報告ＣＳＩ要求が現在ＣＳＩトリガリングサブフレームの前に決定される、
すべての前記１つまたは複数の無報告ＣＳＩ要求にわたって結合されたチャネル状態情報基準信号（ＣＳＩ−ＲＳ）ポートの総数を決定することと、ここにおいて、ＣＳＩ−ＲＳポートの前記総数が、前記１つまたは複数のＣＣのうちのＣＣごとに、または前記１つまたは複数のＣＣのすべてにわたって、のうちの１つに対して決定される、
ＣＳＩ−ＲＳポートの前記総数がトリガリングしきい値を超えることに応答して、前記複数のＣＳＩ要求のうちの１つまたは複数のＣＳＩ要求のためのＣＳＩフィードバック緩和を実行することと
を備える、方法。
［Ｃ１３］
前記ＣＳＩフィードバック緩和を前記実行することが、
前記１つまたは複数のＣＳＩ要求のための古いＣＳＩ測定値に基づいてＣＳＩを報告すること
を含む、Ｃ１２に記載の方法。
［Ｃ１４］
前記トリガリングしきい値が、ＵＥ能力によってサポートされるＣＳＩ−ＲＳポートの総数によって決定される、Ｃ１２に記載の方法。
［Ｃ１５］
コンポーネントキャリアインデックスに従って前記複数のＣＳＩ要求を順序付けること、
同じコンポーネントキャリアのためのＣＳＩプロセスのインデックスに従って前記複数のＣＳＩ要求をさらに順序付けること、ここにおいて、ＣＳＩフィードバック緩和のための前記識別された１つまたは複数のＣＳＩ要求が、前記順序付けられた複数のＣＳＩ要求にわたって識別される、
をさらに含むＣ１３に記載の方法。
［Ｃ１６］
Ｃ１２から１５の任意の組合せの方法。
［Ｃ１７］
ワイヤレス通信のために構成された装置であって、
チャネル状態情報（ＣＳＩ）プロセスに関連する複数のチャネル状態情報基準信号（ＣＳＩ−ＲＳ）リソースの識別情報を取得するための手段と、
最後のビーム選択インジケータ報告機会において、前のビーム選択インジケータがサービング基地局に報告されたかどうかを決定するための手段と、
前記前のビーム選択インジケータが報告されたと決定したことに応答して実行可能な、    前記前のビーム選択インジケータによって示された前記複数のＣＳＩ−ＲＳリソースのうちのＣＳＩ−ＲＳリソースを決定すること、および
前記決定されたＣＳＩ−ＲＳリソースに関連するアンテナポートの数に基づいてチャネル状態情報（ＣＳＩ）報告タイプを選択すること
を行うための手段と、
前記選択されたＣＳＩ報告タイプに従って前記サービング基地局にＣＳＩを報告するための手段と
を備える、装置。
［Ｃ１８］
前記前のビーム選択インジケータが前記サービング基地局に報告されなかったと決定したことに応答して実行可能な、
あらかじめ定義されたルールに基づいて前記複数のＣＳＩ−ＲＳリソースのうちのデフォルトＣＳＩ−ＲＳリソースを選択することと、
選択されたデフォルトＣＳＩ−ＲＳリソースに従って前記ＣＳＩ報告タイプを選択することと
を行うための手段をさらに含む、Ｃ１７に記載の装置。
［Ｃ１９］
前記あらかじめ定義されたルールが、
ＣＳＩプロセス中の最低リソースインデックスを有する前記複数のＣＳＩ−ＲＳリソースのうちの１つを決定するための手段、または
最大アンテナポートを有する前記複数のＣＳＩ−ＲＳリソースのうちの１つを決定するための手段
のうちの１つを含む、Ｃ１８に記載の装置。
［Ｃ２０］
ランクインジケータが前記前のビーム選択インジケータの報告の後に報告されたかどうかを決定するための手段、
ランクインジケータの不在を決定したことに応答して実行可能な、
デフォルト基準ランクを識別すること、および
前記識別されたデフォルト基準ランクを条件として前記ＣＳＩ−ＲＳリソースの前記ＣＳＩを測定すること
を行うための手段
をさらに含む、Ｃ１７に記載の装置。
［Ｃ２１］
前記デフォルト基準ランクを識別するための前記手段は、
最後の報告されたビーム選択インジケータによって識別された前記ＣＳＩ−ＲＳリソースに関連するアンテナポートの数を決定するための手段、
アンテナポートの前記数に関連する可能な最低ランクインジケータを識別するための手段、ここにおいて、前記デフォルト基準ランクが前記可能な最低ランクインジケータである、
を含む、Ｃ２０に記載の装置。
［Ｃ２２］
Ｃ１７から２１の任意の組合せの装置。
［Ｃ２３］
ワイヤレス通信のために構成された装置であって、
チャネル状態情報（ＣＳＩ）プロセスに関連する複数のチャネル状態情報基準信号（ＣＳＩ−ＲＳ）リソースの識別情報を取得するための手段と、
サービング基地局に報告するための合同報告になるようにビーム選択インジケータとランクインジケータとを結合すべきかどうかを決定するための手段と、ここにおいて、前記ビーム選択インジケータが前記複数のＣＳＩ−ＲＳリソースのうちの１つのＣＳＩ−ＲＳリソースを識別する、
前記合同報告のためのビット幅を設定するための手段と、ここにおいて、前記ビット幅が固定される、
前記合同報告を符号化するための手段と、
前記サービング基地局に前記符号化された合同報告を送信するための手段と
を備える、装置。
［Ｃ２４］
前記ビット幅を設定するための前記手段は、
ランクインジケータビット幅＝ｌｏｇ2（ｍｉｎ（ｍａｘ（Ｎk），Ｎlayer））、ここで、Ｎlayerが、前記サービング基地局によってサービスされるユーザ機器（ＵＥ）によってサポートされるレイヤの最大数であり、Ｎkが、前記複数のＣＳＩ−ＲＳリソースのうちのｋ番目のＣＳＩ−ＲＳリソースに関連するアンテナポートの数である、
に従ってランクインジケータビット幅を決定するための手段と、
ビーム選択インジケータビット幅＝ｃｅｉｌ（ｌｏｇ2（Ｋ））、
ここで、Ｋが前記複数のＣＳＩ−ＲＳリソースの数である、
に従ってビーム選択インジケータビット幅を決定するための手段と、
前記合同報告になるように前記ビーム選択インジケータビット幅の前記ビーム選択インジケータを前記ランクビット幅の前記ランクインジケータと連結するための手段と
を含む、Ｃ２３に記載の装置。
［Ｃ２５］
前記符号化された合同報告を送信するための前記手段が、アップリンク共有データチャネル上で、前記符号化された合同報告を送信するための手段を含み、前記装置は、
複数のＣＳＩプロセスおよび複数のダウンリンクセルのためのＣＳＩ報告のための非周期ＣＳＩトリガリングを受信するための手段、
前記複数のＣＳＩプロセスおよび前記複数のダウンリンクセルにわたって前記ランクインジケータの前記符号化された合同報告を連結するための手段、
前記アグリゲートされた符号化された合同報告の前記ランクインジケータのための総ペイロードサイズを決定するための手段、
前記総ペイロードサイズがしきい値よりも小さいかまたはそれに等しいときにブロックコード、あるいは
前記総ペイロードサイズが前記しきい値を超えるときに畳み込みコード
のうちの１つを使用して前記ランクインジケータのためにチャネルコーディングするための手段
をさらに含む、Ｃ２３に記載の装置。
［Ｃ２６］
チャネルコーディングするための前記手段は、
前記総ペイロードサイズが前記しきい値よりも小さいかまたはそれに等しいときに第１のコーディングオフセットパラメータ、あるいは
前記総ペイロードサイズが前記しきい値を超えるときに第２のコーディングオフセットパラメータ
のうちの１つを使用して、前記アグリゲートされた符号化された合同報告の前記ランクインジケータをチャネルコーディングするための手段
をさらに含む、Ｃ２５に記載の装置。
［Ｃ２７］
Ｃ２３から２６の任意の組合せの装置。
［Ｃ２８］
ワイヤレス通信のために構成された装置であって、
１つまたは複数のコンポーネントキャリア（ＣＣ）のためのチャネル状態情報（ＣＳＩ）報告のための複数のＣＳＩ要求を受信するための手段と、
前記複数のＣＳＩ要求のうちの１つまたは複数の無報告ＣＳＩ要求を識別するための手段と、ここにおいて、前記１つまたは複数の無報告ＣＳＩ要求が現在ＣＳＩトリガリングサブフレームの前に決定される、
すべての前記１つまたは複数の無報告ＣＳＩ要求にわたって結合されたチャネル状態情報基準信号（ＣＳＩ−ＲＳ）ポートの総数を決定するための手段と、ここにおいて、ＣＳＩ−ＲＳポートの前記総数が、前記１つまたは複数のＣＣのうちのＣＣごとに、または前記１つまたは複数のＣＣのすべてにわたって、のうちの１つに対して決定される、
ＣＳＩ−ＲＳポートの前記総数がトリガリングしきい値を超えることに応答して、前記複数のＣＳＩ要求のうちの１つまたは複数のＣＳＩ要求のためのＣＳＩフィードバック緩和を実行するための手段と
を備える、装置。
［Ｃ２９］
前記ＣＳＩフィードバック緩和を実行するための前記手段が、
前記１つまたは複数のＣＳＩ要求のための古いＣＳＩ測定値に基づいてＣＳＩを報告するための手段
を含む、Ｃ２８に記載の装置。
［Ｃ３０］
トリガリングしきい値のための前記手段が、ＵＥ能力によってサポートされるＣＳＩ−ＲＳポートの総数によって決定される、Ｃ２８に記載の装置。
［Ｃ３１］
コンポーネントキャリアインデックスに従って前記複数のＣＳＩ要求を順序付けるための手段、
同じコンポーネントキャリアのためのＣＳＩプロセスのインデックスに従って前記複数のＣＳＩ要求をさらに順序付けるための手段、ここにおいて、ＣＳＩフィードバック緩和のための前記識別された１つまたは複数のＣＳＩ要求が、前記順序付けられた複数のＣＳＩ要求にわたって識別される、
をさらに含むＣ３０に記載の装置。
［Ｃ３２］
Ｃ２８から３１の任意の組合せの装置。
［Ｃ３３］
ワイヤレス通信のために構成された装置であって、前記装置が、
少なくとも１つのプロセッサと、
前記少なくとも１つのプロセッサに結合されたメモリと
を備え、
ここにおいて、前記少なくとも１つのプロセッサは、
チャネル状態情報（ＣＳＩ）プロセスに関連する複数のチャネル状態情報基準信号（ＣＳＩ−ＲＳ）リソースの識別情報を取得することと、
最後のビーム選択インジケータ報告機会において、前のビーム選択インジケータがサービング基地局に報告されたかどうかを決定することと、
前記前のビーム選択インジケータが報告されたと決定したことに応答して、
前記前のビーム選択インジケータによって示された前記複数のＣＳＩ−ＲＳリソースのうちのＣＳＩ−ＲＳリソースを決定すること、および
前記決定されたＣＳＩ−ＲＳリソースに関連するアンテナポートの数に基づいてチャネル状態情報（ＣＳＩ）報告タイプを選択することと、
前記選択されたＣＳＩ報告タイプに従って前記サービング基地局にＣＳＩを報告することと
を行うように構成された、装置。
［Ｃ３４］
前記前のビーム選択インジケータが前記サービング基地局に報告されなかったと決定したことに応答して、
あらかじめ定義されたルールに基づいて前記複数のＣＳＩ−ＲＳリソースのうちのデフォルトＣＳＩ−ＲＳリソースを選択することと、
選択されたデフォルトＣＳＩ−ＲＳリソースに従って前記ＣＳＩ報告タイプを選択することと
を行うための前記少なくとも１つのプロセッサの構成をさらに含む、Ｃ３３に記載の装置。
［Ｃ３５］
前記あらかじめ定義されたルールが、
ＣＳＩプロセス中の最低リソースインデックスを有する前記複数のＣＳＩ−ＲＳリソースのうちの１つを決定すること、または
最大アンテナポートを有する前記複数のＣＳＩ−ＲＳリソースのうちの１つを決定すること
のうちの１つを行うための前記少なくとも１つのプロセッサの構成を含む、Ｃ３４に記載の装置。
［Ｃ３６］
ランクインジケータが前記前のビーム選択インジケータの報告の後に報告されたかどうかを決定すること、
ランクインジケータの不在を決定したことに応答して、
デフォルト基準ランクを識別すること、および
前記識別されたデフォルト基準ランクを条件として前記ＣＳＩ−ＲＳリソースの前記ＣＳＩを測定すること
を行うための前記少なくとも１つのプロセッサの構成をさらに含む、Ｃ３３に記載の装置。
［Ｃ３７］
前記デフォルト基準ランクを識別するための前記少なくとも１つのプロセッサの前記構成は、
最後の報告されたビーム選択インジケータによって識別された前記ＣＳＩ−ＲＳリソースに関連するアンテナポートの数を決定すること、
アンテナポートの前記数に関連する可能な最低ランクインジケータを識別すること、ここにおいて、前記デフォルト基準ランクが前記可能な最低ランクインジケータである、を行うための前記少なくとも１つのプロセッサの構成を含む、Ｃ３６に記載の装置。
［Ｃ３８］
Ｃ３３から３７の任意の組合せの装置。
［Ｃ３９］
ワイヤレス通信のために構成された装置であって、前記装置が、
少なくとも１つのプロセッサと、
前記少なくとも１つのプロセッサに結合されたメモリと
を備え、
ここにおいて、前記少なくとも１つのプロセッサは、
チャネル状態情報（ＣＳＩ）プロセスに関連する複数のチャネル状態情報基準信号（ＣＳＩ−ＲＳ）リソースの識別情報を取得することと、
サービング基地局に報告するための合同報告になるようにビーム選択インジケータとランクインジケータとを結合すべきかどうかを決定することと、ここにおいて、前記ビーム選択インジケータが前記複数のＣＳＩ−ＲＳリソースのうちの１つのＣＳＩ−ＲＳリソースを識別する、
前記合同報告のためのビット幅を設定することと、ここにおいて、前記ビット幅が固定される、
前記合同報告を符号化することと、
前記サービング基地局に前記符号化された合同報告を送信することと
を行うように構成された、装置。
［Ｃ４０］
前記ビット幅を設定するための前記少なくとも１つのプロセッサの前記構成は、
ランクインジケータビット幅＝ｌｏｇ2（ｍｉｎ（ｍａｘ（Ｎk），Ｎlayer））、ここで、Ｎlayerが、前記サービング基地局によってサービスされるユーザ機器（ＵＥ）によってサポートされるレイヤの最大数であり、Ｎkが、前記複数のＣＳＩ−ＲＳリソースのうちのｋ番目のＣＳＩ−ＲＳリソースに関連するアンテナポートの数である、
に従ってランクインジケータビット幅を決定することと、
ビーム選択インジケータビット幅＝ｃｅｉｌ（ｌｏｇ2（Ｋ））、
ここで、Ｋが前記複数のＣＳＩ−ＲＳリソースの数である、
に従ってビーム選択インジケータビット幅を決定することと、
前記合同報告になるように前記ビーム選択インジケータビット幅の前記ビーム選択インジケータを前記ランクビット幅の前記ランクインジケータと連結することと
を行うための前記少なくとも１つのプロセッサの構成を含む、Ｃ３９に記載の装置。
［Ｃ４１］
前記符号化された合同報告を送信するための前記少なくとも１つのプロセッサの前記構成が、アップリンク共有データチャネル上で、前記符号化された合同報告を送信するための構成を含み、前記装置は、
複数のＣＳＩプロセスおよび複数のダウンリンクセルのためのＣＳＩ報告のための非周期ＣＳＩトリガリングを受信すること、
前記複数のＣＳＩプロセスおよび前記複数のダウンリンクセルにわたって前記ランクインジケータの前記符号化された合同報告を連結すること、
前記アグリゲートされた符号化された合同報告の前記ランクインジケータのための総ペイロードサイズを決定すること、
前記総ペイロードサイズがしきい値よりも小さいかまたはそれに等しいときにブロックコード、あるいは
前記総ペイロードサイズが前記しきい値を超えるときに畳み込みコード
のうちの１つを使用して前記ランクインジケータのためにチャネルコーディングすることを行うための前記少なくとも１つのプロセッサの構成をさらに含む、Ｃ３９に記載の装置。
［Ｃ４２］
チャネルコーディングするための前記少なくとも１つのプロセッサの前記構成は、
前記総ペイロードサイズが前記しきい値よりも小さいかまたはそれに等しいときに第１のコーディングオフセットパラメータ、あるいは
前記総ペイロードサイズが前記しきい値を超えるときに第２のコーディングオフセットパラメータ
のうちの１つを使用して、前記アグリゲートされた符号化された合同報告の前記ランクインジケータをチャネルコーディングするための構成をさらに含む、Ｃ４１に記載の装置。
［Ｃ４３］
Ｃ３９から４２の任意の組合せの装置。
［Ｃ４４］
ワイヤレス通信のために構成された装置であって、前記装置が、
少なくとも１つのプロセッサと、
前記少なくとも１つのプロセッサに結合されたメモリと
を備え、
ここにおいて、前記少なくとも１つのプロセッサは、
１つまたは複数のコンポーネントキャリア（ＣＣ）のためのチャネル状態情報（ＣＳＩ）報告のための複数のＣＳＩ要求を受信することと、
前記複数のＣＳＩ要求のうちの１つまたは複数の無報告ＣＳＩ要求を識別することと、ここにおいて、前記１つまたは複数の無報告ＣＳＩ要求が現在ＣＳＩトリガリングサブフレームの前に決定される、
すべての前記１つまたは複数の無報告ＣＳＩ要求にわたって結合されたチャネル状態情報基準信号（ＣＳＩ−ＲＳ）ポートの総数を決定することと、ここにおいて、ＣＳＩ−ＲＳポートの前記総数が、前記１つまたは複数のＣＣのうちのＣＣごとに、または前記１つまたは複数のＣＣのすべてにわたって、のうちの１つに対して決定される、
ＣＳＩ−ＲＳポートの前記総数がトリガリングしきい値を超えることに応答して、前記複数のＣＳＩ要求のうちの１つまたは複数のＣＳＩ要求のためのＣＳＩフィードバック緩和を実行することと
を行うように構成された、装置。
［Ｃ４５］
前記ＣＳＩフィードバック緩和を実行するための前記少なくとも１つのプロセッサの前記構成が、前記１つまたは複数のＣＳＩ要求のための古いＣＳＩ測定値に基づいてＣＳＩを報告するための構成を含む、Ｃ４４に記載の装置。
［Ｃ４６］
前記トリガリングしきい値が、ＵＥ能力によってサポートされるＣＳＩ−ＲＳポートの総数によって決定される、Ｃ４４に記載の装置。
［Ｃ４７］
コンポーネントキャリアインデックスに従って前記複数のＣＳＩ要求を順序付けること、
同じコンポーネントキャリアのためのＣＳＩプロセスのインデックスに従って前記複数のＣＳＩ要求をさらに順序付けること、ここにおいて、ＣＳＩフィードバック緩和のための前記識別された１つまたは複数のＣＳＩ要求が、前記順序付けられた複数のＣＳＩ要求にわたって識別される、
を行うための前記少なくとも１つのプロセッサの構成をさらに含むＣ４５に記載の装置。
［Ｃ４８］
Ｃ４４から４７の任意の組合せの装置。